Podtech/llm-jp-corpus-v4-ja_patent huggingface dataset:
(57)【要約】【課題】  一般の炭粉はいくら微細化しても、形状は粒状のため、セルロース繊維と絡み合って一体化することがなく、繊維上に付着するだけである。このため乾燥すると炭粉が剥離して汚れてしまう。【解決手段】  セルロースと容易に絡み合って抄紙が容易で、通常の紙と同様な扱いができる繊維状の炭化綿を得、該炭化綿とセルロース繊維が混合して構成されたことが特徴である炭化綿混合紙、または炭化綿混合不織布を抄紙する。【特許請求の範囲】
【請求項１】
繊維状の炭化綿とセルロース繊維を水中で混合して、セルロース繊維、炭化綿の混合物を得て、これを抄紙した炭化綿紙。
【請求項２】
繊維状の炭化綿と化学繊維を水中で混合して、化学繊維、炭化綿の混合物を得て、これを抄紙した炭化綿不織布。
【発明の詳細な説明】
【技術分野】  繊維状炭化物混合紙
【背景技術】
【０００１】  特願２００３−３７２０５２には、古紙を粉砕して成る粉砕古紙を主成分とし、該粉砕古紙を圧縮し造粒した造粒体から成り、該粉砕古紙の圧縮造粒体の表面を覆う鉱物質材から成る被覆層を有し、該鉱物質被覆層で被覆した粉砕古紙の圧縮造粒体を焼成し炭化して成る古紙製炭化粒状材はある。【０００２】  特願２００４−０４６９５３には、パルプ２と活性炭粉末３とを水中で攪拌混合し、この混合物を成形型内に入れて所定形状に圧縮成形し、乾燥固化する。パルプで構成された容器内に収容されていて、繊維と吸着剤との割合は、繊維の重量割合をｎとするとき、吸着剤の重量割合が０．２ｎ〜５ｎである抄紙構造を有した成型体はある。【０００３】  セルロースに炭粉を混合して抄紙すると、従来の生産工程の変更を要すことなく炭入りの紙は容易にできるが、炭粉が剥離して粉塵が生じる。【０００４】  このように、接着剤を使用しないで、紙に炭粉を固定させることは困難であった。
【参考文献１】
特願２００３−３７２０５２
【参考文献２】
特願２００４−０４６９５３
【発明が解決しようとする課題】
【０００５】  紙は使い勝手のよさや低コストのため身の回りに多く使用されている。
【０００６】  本発明は、紙が有する柔軟性、軽さ、吸水性、薄さ、低コスト、絶縁性を変化させないで、炭が持つ、優れた吸着機能を紙に付加し、空気や水の浄化作用を有する新しい紙や不織布を得るためになされたものである。
【０００７】  炭は周知のように破砕し汚れる性質がある。そして、一般の炭粉はいくら微細化しても、形状は粒状のため、セルロース繊維と絡み合って一体化することがなく、繊維上に付着するだけである。このため乾燥すると炭粉が剥離して汚れてしまう。
【０００８】  接着剤を用いないで、セルロースと絡み合わせて一体化して紙にするためには、柔らかな繊維状の炭化物で、しかも汚れない性質でなければ不可能である。
【０００９】  発明者は炭化繊維を利用することに着目した。
【解決するための手段】
【００１０】  近年、炭化温度や炭化時間の違いで、従来の木質系炭化物とは違った性質を有する炭化物ができる技術が開発されている。特に繊維状のものは破砕しやすい形状であるが、温度設定によって、炭化と並行して焼締め状態にし、強度を増加した炭化繊維を製造することができるようになった。
【００１１】  綿においても、一定の強度を有する炭化綿を得ることができるようになり、一部で使用されている。炭化した綿すなわち炭化綿は直径が５〜１５ミクロンで０．５ｍｍ〜５ｍｍの長さであり、セルロース繊維との絡みを実現するには適当な材料である。
【００１２】  炭化綿はミキサーなどでは砕くことができないほど破砕しにくい性質であり、粘りがあり綿自体が有する性質の多くを保持した炭化物である。
【００１３】  炭化綿は炭化後は表面に汚れる破砕片が付着していて汚れるが、水洗いすると洗い流されて汚れなくなる性質を持っている。
【００１４】  炭化綿は一般的な活性炭の数倍の比表面積があり、１グラム当り２５００平方メートル以上と非常に優れた吸着性を有しているため、少量でも吸着機能は大きい。
【００１５】  このように、綿、セルロースを含め繊維状のものを、一定の強度を保ったまま炭化できる技術が近年開発されたため、これを使用して紙を抄紙できることができる。
【００１６】  柔らかな繊維状の炭化物であれば、セルロース繊維と混合して抄紙すると、互いに繊維が絡み合って吸着性に優れた紙を得ることができる。
【００１７】  炭化綿には移動中などに破砕した炭粉塵が付着しているが、セルロース繊維との混合時に水で洗い流される。そして、紙に抄紙すれば粉塵の発生はない。
【００１８】  本発明はセルロースと容易に絡みあい抄紙が容易で、通常の紙と同様な扱いができる炭化綿と混合した炭化綿混合紙、または炭化綿混合不織布であることが特徴である。
【発明の効果】
【００１９】  炭化綿とセルロース繊維の混合比率によって吸着性に違いがでるが、微少粉塵や揮発性有機溶剤の吸着に優れ強度がある、炭を使用しているに関わらず汚れのない新機能紙ができる。
【実施例１】
【００２０】  ＮＢクラフトパルプ９重量に炭化綿１重量の比率で抄紙して炭化綿紙を得た。
ＮＢクラフトパルプを水に投入し、攪拌してばらばらのセルロースに分解する。ここに炭化綿を投入しゆっくりと攪拌して繊維をばらばらにすると共に均等に分散させる。これらを均等に網上に載せて乾燥させて炭化綿紙を得る。
【実施例２】
【００２１】  実施例１と同様の生産工程を経て、セルロース８重量に炭化綿２重量の比率で抄紙して炭化綿紙を得た。
【実施例３】
【００２２】  実施例１と同様の生産工程を経て、セルロース７重量に炭化綿３重量の比率で抄紙して炭化綿紙を得た。
【実施例４】
【００２３】  ポリエステル短繊維を水に投入し、攪拌してばらばらに分解する。ここに炭化綿を投入しゆっくりと攪拌して繊維をばらばらにすると共に均等に分散させる。これらをネットに掬い上げて乾燥させ炭化綿不織布を得る。
【実施例５】  炭化綿紙はＮＢクラフトパルプと炭化綿の混合物であり、試験片１は炭化綿含有重量比が１０％、試験片２は炭化綿含有重量比が２０％、試験片３は炭化綿含有重量比が３０％であり、試験片４はＮＢクラフトパルプ１００％で比較基準とする紙である。１種類の試験サンプル各々１．２ｇで寸法８ｃｍ×８ｃｍの４種類を、１０リットルのテドラーバッグに入れて密閉し次に空気を注入、さらに、アンモニア水試薬、３０％トリメチルアミン試薬、イソ吉草酸試薬をメタノールで希釈した溶液又はメチルメルカプタン標準試薬を注入してそのときの開始時間とした。その後、経過時間ごとに、テドラーバッグ内のガス濃度をガス検知器にて測定した。
結果は下記の通りであり、炭化綿混合紙は少量を使用しても、吸着性に優れ、特にアンモニア、イソ吉草酸の吸着性に優れていることが判明した。
【産業上の利用分野】
紙のほか湿式不織布にも容易に炭化綿を混合して炭化綿混合不織布を得ることができ、水の浄化や空気の浄化ができるフィルターとして使用できる。
(57)【要約】【課題】  本発明は、γ−オリザノールを繊維に付着せしめ、生理活性効果を持続させる事を目的とする。【解決手段】  本発明は、γ−オリザノールをビタミンＥ類と共に油剤に溶解しエマルジョン化して繊維に付着せしめることに基づくものであり、このことにより前記課題を解決する事が判明した。【選択図】なし【特許請求の範囲】
【請求項１】
γ−オリザノールにビタミンＥ類を併用することで、γ−オリザノールの光による分解を抑制する繊維処理方法。
【請求項２】
γ−オリザノールとビタミンＥ類の割合が１０：１〜１：１０であり、油剤に溶解後、エマルジョン化して、繊維に処理する方法。
【請求項３】
常温で液体であって、請求項１に示す薬剤を溶解させる炭化水素、エステル油、植物油を請求項２の油剤として使用する繊維処理方法。
【請求項４】
酢酸α−トコフェロール、α−トコフェロール、α−トコトリエノールから選ばれる少なくとも１種の薬剤を請求項１のビタミンＥ類として使用する繊維処理方法。
【請求項５】
請求項１〜４により処理された繊維および繊維製品。
【発明の詳細な説明】
【技術分野】
【０００１】  本発明は、γ−オリザノールにビタミンＥ類を併用し、油剤に溶解させ、繊維に加工することにより、光による分解を抑制することが出来、肌着やシャツ等の衣料分野に利用できる。
【背景技術】
【０００２】  γ−オリザノールは米胚芽に含まれているオイルに溶ける性質の生理活性成分であり、血液の循環促進、加齢による皮膚の機能低下を防ぐ効果が知られ、スキンケア加工等に注目されている薬剤であるが、そのままでは光により分解してしまい生理活性効果が持続しないという問題がある。【０００３】
【特許文献１】特許２９６８２９７号では、γ−オリザノールを繊維に固着し、肌荒れを防止するが試みがある。しかしながら、洗濯耐久性を得る事ができても、日光下で暴露させると光で分解してしまう欠点がある。
【０００４】
【特許文献２】特開２００７−２５８１６５では、γ−オリザノールを水溶性抗酸化剤と併用して、水溶液中で安定化しているが、これでは繊維に加工した場合、水洗により水溶性抗酸化剤が脱落してしまい、生理活性効果を得る事が困難である。
【発明の開示】
【発明が解決しようとする課題】
【０００５】  本発明は、γ−オリザノールを繊維に付着せしめ、生理活性効果を持続させる事を目的とするものである。
【課題を解決するための手段】
【０００６】  本発明は、γ−オリザノールをビタミンＥ類と共に油剤に溶解しエマルジョン化して繊維に付着せしめることに基づくものであり、このことにより前記課題を解決する事が判明した。
【発明の効果】
【０００７】  本発明は、繊維に、γ−オリザノールと酢酸α−トコフェロールを油剤に溶解させ繊維に付着させることにより、優れた光安定性を与えることが出来る効果がある。
【発明を実施する為の最良の形態】
【０００８】  本発明に用いる繊維とは、綿、羊毛、絹等の天然繊維、レーヨン、ポリノジック、アセテート等の再生繊維、ポリエステル、ナイロン、アクリル等の合成繊維で、これらを１種または２種以上を混紡したものであってもよい。
【０００９】  上記γ−オリザノールを水に乳化させる界面活性剤は、非イオン系界面活性剤またはアニオン系界面活性剤を用いることが好ましいが、特に制限されるものではない。
【００１０】  本発明の機能性繊維の製造方法としては、まずγ−オリザノールおよび酢酸α−トコフェロールを油剤に溶解させ、次に界面活性剤を配合し、８０℃に加熱し溶解させた後、同じく８０℃の水を加え乳化液を作成し、繊維を浸漬、乾燥処理すればよい。
【００１１】  また、油剤の濃度は特に限定されないが、γ−オリザノールおよび酢酸α−トコフェロールと同量またはそれ以上が好ましい。
【００１２】  洗濯耐久性を向上させる為には各種併用バインダー、例えばポリエステル樹脂、ウレタン樹脂、塩化ビニル樹脂、酢酸ビニル樹脂、シリコン樹脂、アクリル樹脂等を使用すればよい。
【００１３】  本発明で得られた機能性繊維に付着したγ−オリザノールは、酢酸α−トコフェロールを使用しないときに比べて飛躍的に光安定性があがり、繊維加工後、２ヶ月間、暴露試験を行なっても、残存が認められる。
【実施例】
【００１４】  以下の実施例により本発明を具体的に報告する。尚、γ−オリザノールの生理活性効果の測定方法としては、各加工試料をアセトンで３回抽出した後、エバポレーターで濃縮し、ＤＰＰＨラジカル消去法にて紫色の退色により確認した。【００１５】  （実施例１）γ−オリザノール（１５部）および酢酸α−トコフェロール（１５部）を流動パラフィン（１７０部）に溶解させ、ノニオン系界面活性剤（１００部）（ＮＩＫＫＯＬ（日光ケミカルズ））、グリセリン（５０部）を混合し、８０℃で加熱溶解し、同じく８０℃の水（６５０部）を加えていき、乳化液（１０００部）を得た。【００１６】  （実施例２）実施例１の酢酸α−トコフェロールの量を１．５部に変えた他は実施例１と同じ方法で乳化物を得た。【００１７】  （実施例３）実施例１の酢酸α−トコフェロールをα−トコフェロールに変えた他は実施例１と同じ方法で乳化物を得た。【００１８】  （比較例１）実施例１から酢酸α−トコフェノールを抜いた他は実施例１と同じ方法で乳化物を得た。【００１９】  （比較例２）実施例１からγ−オリザノールを抜いた他は、実施例１と同じ方法で乳化物を得た。【００２０】  （比較例３）実施例１からγ−オリザノール、酢酸α−トコフェノールを抜いた他は、実施例１と同じ方法で乳化物を得た。【００２１】  各配合割合を表１に示した。
【表１】
2010144315.tif 000002
【００２２】  綿ニットを表１に示す乳化物の１０％水溶液に浸漬し、絞り率９０％で較った後、１１０℃で１０分間熱処理し、各試料を得た。【００２３】  各試料を屋外で暴露し、ＤＰＰＨラジカル消去能力を測定した。【００２４】  各試験結果を表２に示した。
【表２】
2010144315.tif 000003
【００２５】    表２よりγ−オリザノールに酢酸α−トコフェロールを加えて乳化させた試料は抗酸化効果が認められ、長期間の光安定性が向上したことは明らかである。
【産業上の利用可能性】
【００２６】  本発明は、γ−オリザノールを光安定化させ、繊維に付着させる事が出来るので、持続性のある生理活性効果を付与した繊維製品を提供することが可能である。
(57)【要約】【課題】用便を急ぐ時、スラックスを下におろすのが間に合わず汚したり、片手マヒなどで片手が使えない状態の者では非常に難儀である。屋外や寒い時などでも尻を露出し、トイレでする必要がある。  本発明は、早く簡単に尻を露出することなく、用便を可能にするファスナー付スラックスに於ける縦開きスラックスを提供する。【解決手段】スラックスのファスナーを前だけでなく、後まで縦に使用して前から後まで縦に全開する。【選択図】図４
2010144314.tif 000002
【特許請求の範囲】
【請求項１】
スラックスのファスナーを前から後まで開閉自在と成すように設けたファスナー付スラックスに於ける縦開きスラックス。
【発明の詳細な説明】
【技術分野】
【０００１】  本発明は老若男女で共用できるファスナー付スラックスの縦開きスラックスに関するものである。
【背景技術】
【０００２】  従来、スラックスをはいている時に用便をする際、胴回りのボタンを外したり、スラックスを下へおろして尻を露出しなければならなかった。
【発明の開示】
【発明が解決しようとする課題】
【０００３】  用便を急ぐ時、スラックスを下におろすのが間に合わず汚したり、片手がマヒなどで使えない状態の者では非常に難儀である。屋外や寒い時などでも尻を露出し、トイレで、する必要がある。
本発明は以上の問題点を解決するものである。
【課題を解決するための手段】
【０００４】  スラックスのファスナーを前だけでなく下を通して背後まで縦に使用して、前から後まで縦に全開する。
以上の構成よりなるファスナー付スラックスに於ける縦開きスラックス。
【発明の効果】
【０００５】  スラックスをはいたままファスナーを前から背後まで全開することにより、簡単に尻を露出することなく、座るだけで用便が可能になるので、体の不自由な方や老人には最適なスラックスを提供する事が出来る。
【発明を実施するための最良の形態】
【０００６】  以下、本発明の実施の形態を説明する。
スラックスの胴部分（１）本体を下へおろすことなく、ファスナー（４）を前左本体（２）前右本体（３）の部面だけでなく、後右本体（５）後左本体（６）の部分まで使用して、前から後の腰部まで縦に全開できるように設ける。
【図面の簡単な説明】
【０００７】
【図１】  本発明の正面図
【図２】  本発明の背面図
【図３】  本発明の正面開きの状態図
【図４】  本発明の背面開きの状態図
【符号の説明】
【０００８】（１）胴部分、（２）前左本体、（３）前右本体、（４）ファスナー、（５）後右本体、（６）後左本体
【図１】
2010144314.tif 000003
【図２】
2010144314.tif 000004
【図３】
2010144314.tif 000005
【図４】
2010144314.tif 000006
(57)【要約】【課題】  手袋をしているときに、素手で作業をしなければならくなったときに、手袋を外さなくても作業ができるように、手袋の手のひら側に開閉自在の手を取り出す穴をもうけた手袋を提供する。【解決手段】手袋の手のひら部分に、素手を取り出せる穴を切り、切った舌状の端と穴側の周囲の部分にマジックテープなどを取り付け、開閉が自在にできるようにした、開閉自在の穴をもうけた手袋を特徴とする。【選択図】図１
2010144318.tif 000002
【特許請求の範囲】
【請求項１】
（イ）手袋（１）の手のひら部分を切り、手を取り出せる穴を設ける。
（ロ）穴の内側、および切り取った蓋の部分にマジックテープ（２）を設ける。
以上の構成よりなる開閉式穴あき手袋。
【発明の詳細な説明】
【技術分野】
【０００１】  この発明は、手袋の手のひら部分に、素手を取り出せる穴を切り、マジックテープなどで、自在に開閉ができるようにした、開閉式穴あき手袋に関するものである。
【背景技術】
【０００２】  従来、手袋をしているときに細かな作業をするには、手袋を脱ぐ必要があった。
【発明の開示】
【発明が解決しようとする課題】
【０００３】  これは、次のような欠点があった。
釣りや登山の最中には、手袋を脱いで、素手で細かな作業を必要とするときがある。その作業をする際、手袋を脱着する手間がかかったり、手袋を紛失したりして、困ることが多かった。
本発明は、以上のような欠点をなくすためになされたものである。
【課題を解決するための手段】
【０００４】  手袋（１）の手のひら部分に、素手を取り出せる穴を切り、切った部分の端の部分と穴側の周囲の部分にマジックテープなど（２）を取り付け、開閉が自在にできるようにする。
本発明は、以上の構成よりなる開閉式穴あき手袋である。
【発明の効果】
【０００６】  手袋をしているときに、細かな作業が必要となったときに、手袋のなかで握り拳を作ることで、開閉式の穴から手を取り出すことができる。細かな作業を終えた後はまた握り拳を作り、開閉式の穴から手を引っ込めることができる。細かな作業をする際に、手袋を外す必要がなくなり、手間が省け、手袋を紛失する心配もない。
【発明を実施するための最良の形態】
【０００６】  以下、本発明を実施するための最良の形態について説明する。
手袋（１）の手のひら側に素手を取り出せる大きさの切り込みを入れ、舌状にめくれるようにする。
舌状にめくれた部分の端にマジックテープ（２）を取り付ける。
穴の開いた部分の内側にもマジックテープ（２）を取り付け、元の形に戻るようにする。
本発明は、以上のような構造である。
これを使用するときは、手袋（１）のなかで握り拳を作り、マジックテープ（２）の部分をめくり、穴を経て外に手を出せばよい。また、元に戻すときには、また握り拳をつくり、手袋（１）のなかに拳を入れた後、元通りに指を伸ばし、穴の部分にふたをして、マジックテープ（２）で留め、今まで通りの手袋（１）として使えばよい。
他の穴を開ける箇所として、手の甲の側も可能である。
マジックテープ以外でも、ファスナーやフック、ボタンなどで、舌部分を固定することが可能である。
【図面の簡単な説明】
【０００７】
【図１】  本発明の正面図である。
【図２】  本発明の斜視図である。
【図３】  本発明の使用図である。
【符号の説明】
【０００８】１  手袋
２  マジックテープ
【図１】
2010144318.tif 000003
【図２】
2010144318.tif 000004
【図３】
2010144318.tif 000005
(57)【要約】【課題】畳床や下地板などの敷き詰め材の余剰部分が残ることがなく、改造工事の手間がかからず、改築コストが安くできる床の改造方法を提供する。【解決手段】本発明方法は、畳を撤去した既存の和室の床板面を採寸し、この採寸情報に基づいて予め割り付け裁断した畳床を上記床板面上に敷き込むと共に、この畳床上に、上記採寸情報に基づいて予め割り付け裁断した下地板を敷き込み、さらに、該畳床上にフローリング材を敷き込むことを特徴とする。【選択図】        図５
2010144390.tif 000002
【特許請求の範囲】
【請求項１】
畳を撤去した既存の和室の床板面を採寸し、この採寸情報に基づいて予め割り付け裁断した畳床を上記床板面上に敷き込むと共に、この畳床上に、上記採寸情報に基づいて予め割り付け裁断した下地板を敷き込み、さらに、該畳床上にフローリング材を敷き込むことを特徴とする床の改造方法。
【請求項２】
上記畳床を敷き込む前の上記床板面上に薄い弾性シートを敷き込むことを特徴とする請求項１に記載の床の改造方法。
【請求項３】
上記畳床を上記床板にビスで固定することを特徴とする請求項１または２に記載の床の改造方法。
【請求項４】
隣接する上記畳床の継ぎ目に粘着テープを張ることを特徴とする請求項１、２または３に記載の床の改造方法。
【請求項５】
上記下地板を上記畳床にビスで固定することを特徴とする請求項１、２、３または４に記載の床の改造方法。
【請求項６】
上記下地板の敷き込みを省略することを特徴とする請求項１、２、３または４に記載の床の改造方法。
【発明の詳細な説明】
【技術分野】
【０００１】
本発明は、畳敷の和室をフローリング床の洋室に改造する、床の改造方法に関するものである。
【背景技術】
【０００２】
従来の、この種の床の改造方法としては、和室から既存の畳を撤去し、フローリング材からなる表面層と嵩上げ用基材層とを積層して接着剤により接合すると共に畳と同じ縦横寸法に製造した床パネルと、入れ換えるものがあった。（例えば、特許文献１参照）
【０００３】
しかしながら、上記従来の方法は、敷き込んだ最終列の床パネルの余剰部分を部屋の大きさに合わせて、表面層だけでなく嵩上げ用基材層も裁断する必要が生じ、資材が無駄になったり、床パネルの制作に手間と時間がかかるだけでなく、上記表面層の縦横各一辺に臍と溝を形成して、隣接する床パネルの臍と溝を嵌合するようになっているため、縦横両方向に同時に組み付けていくことは事実上不可能である等の問題点があった。
【特許文献１】特開２０００−１２９８９１号公開特許公報
【発明の開示】
【発明が解決しようとする課題】
【０００４】
本発明が解決しようとする課題は、畳床や下地板などの敷き詰め材の余剰部分が残ることがなく、改造工事の手間がかからず、改築コストが安くできる床の改造方法を提供することにある。
【課題を解決するための手段】
【０００５】
本発明の床の改造方法は、畳を撤去した既存の和室の床板面を採寸し、この採寸情報に基づいて予め割り付け裁断した畳床を上記床板面上に敷き込むと共に、この畳床上に、上記採寸情報に基づいて予め割り付け裁断した下地板を敷き込み、さらに、該畳床上にフローリング材を敷き込むことを特徴とする。また、上記畳床を敷き込む前の上記床板面上に薄い弾性シートを敷き込むことを特徴とする。さらに、上記畳床を上記床板にビスで固定することを特徴とする。また更に、隣接する上記畳床の継ぎ目に粘着テープを張ることを特徴とする。更にまた、上記下地板を上記畳床にビスで固定することを特徴とする。なお、上記下地板の敷き込みを省略することもできる。
【発明の効果】
【０００６】
本発明の床の改造方法は、畳床や下地板などの敷き詰め材の余剰部分が残ることがなく、改造工事の手間がかからず、改築コストが安くできるという利点がある。
【発明を実施するための最良の形態】
【０００７】
図１〜図５は、本発明方法の一実施例を示す説明図である。図１は、畳Ｔを敷いた既存の和室の一部を示すもので、Ｐは柱、Ｓは敷居、Ｕは畳床、Ｙは床板、Ｎは根太である。
【０００８】
本発明方法において、まず、上記畳Ｔを撤去して、図２に示すように、床板Ｙを露出させ、この床板面を採寸する。必要に応じて、この床板Ｙの表面を清掃しておく。
【０００９】
次に、上記床板Ｙ上に敷き込む予定の畳床１および下地板４を、上記採寸した数値や形状の情報に基づいて割り付け裁断（プレカット）する。上記畳床１としては、木材のチップを圧縮成形したインシュレーションボードや発泡ポリスチレンを単板あるいは積層させたもので、一般に建材畳床または化学床と呼ばれる畳床を使用するのが好ましい。
【００１０】
上記下地板４としては、下地用の単板や合板、或いはハードボード（木材を繊維状にして圧縮成形した硬い板材）を使用する。
【００１１】
さらに、上述のようにプレカットした上記畳床１を、図３に示すように、畳Ｔを撤去し後の床板面上に、畳の敷き込みと同様に敷き込む。なお、上記畳床１を敷き込む前の上記床板Ｙ上に、例えば厚さ２ｍｍ程度の発泡性マットなどの薄い弾性シート（図示せず）を敷き込んで、床板Ｙの不陸を吸収しておくのが好ましい。
【００１２】
敷き込んだ上記畳床１の縁部にビス２を打ち付けて、畳床１を上記床板Ｙに固定すると共に、隣接する畳床１の継ぎ目にガムテープなどの粘着テープ３を張る。この際、畳床１の敷き込みに不陸が生じないように注意して養生をしておく。
【００１３】
続いて、図４に示すように、上記敷き込んだ畳床１上に上述のようにプレカットした上記下地板４を敷き込み、それらの縁部をビス２で固定する。この場合、下地板４の敷き込みパターンは、上記畳床１の敷き込みパターンと重ならないようにして、それらの継ぎ目が出来るだけ重ならないようにするのが好ましい。
【００１４】
最後に、上記敷き込んだ下地板４上に、図５に示すように、フローリング材５を敷き込む。
【００１５】
上記下地板４は、上記畳床１が下地と同等以上の強度を有する場合には、その敷き込みを省略することができる。
【図面の簡単な説明】
【００１６】
【図１】畳敷の既存の和室を示した一部切欠き斜視図である。
【図２】畳を撤去した後の部屋の一部切欠き斜視図である。
【図３】畳床を敷き込んだ部屋の一部切欠き斜視図である。
【図４】下地板を敷き込んだ部屋の一部切欠き斜視図である。
【図５】フローリング材を敷き込んで洋室に改造した部屋の一部切欠き斜視図である。
【符号の説明】
【００１７】
１    畳床
２    ビス
３    粘着テープ
４    下地板
５    フローリング材
Ｐ    柱
Ｓ    敷居
Ｕ    畳床
Ｔ    畳
Ｙ    床板
【図１】
2010144390.tif 000003
【図２】
2010144390.tif 000004
【図３】
2010144390.tif 000005
【図４】
2010144390.tif 000006
【図５】
2010144390.tif 000007
(57)【要約】【課題】犬の散歩は付近住民に不快感を与えたり、地上に落とした糞を手で拾い袋に入れて持ち帰らなければならなかった。雨の日には傘をさしての糞拾いは容易ではなかった。これを解消するために、犬の全天候散歩を可能にした移動便器の自動蓋つき装置を提供する。【解決手段】犬は散歩中の糞の排泄時は飼い主に事前に分かるもので、その際に車輪つきの本体１３の先に取り付けた便器３の便器の蓋４を開閉レバー５で開けて、便器３の中に直接排出するように添える。用便後は自動的に閉じる便器の蓋４で閉じ込めて家に持ち帰り処分する。雨の日や日照りの日には市販の傘もセットできる。休むときは固定スタンド８でどこにでも立て掛けられる。糞を漏らした場合は清掃用ハサミ１１で掃除もできる。犬の大きさによって高さを調整ネジ２で便器３を上下できる。【選択図】図１
2010227085.tif 000002
【特許請求の範囲】
【請求項１】
犬は天候によらず糞を排泄をするので全天候の装備による、車輪つき小型移動便器で直接回収、自動的に便器の蓋を閉じて持ち帰り処分する装置。
【発明の詳細な説明】
【発明の詳細な説明】
【技術分野】
【０００１】本発明は犬の散歩に伴うもののため移動車輪をつけた本体の先に小型便器を取り付け、必要なときに蓋開閉レバーで便器の蓋を開けて直接回収する。糞の排泄が済むとバネ蝶番で便器の蓋を自動的に閉じて、家のトイレで処分できるようにした。犬は天候に拘わらず糞はするので、散歩は欠かせないので傘補助棒の装置もセットして全天候で散歩のできるようにしたものである。
【背景技術】
【０００２】犬の散歩の際に手提げの糞袋に小型ショベルを用意して、地上に落とした糞をそのショベルで拾い、糞袋に入れて手で家に持ち帰っていた。雨の日にも傘をさして散歩に出掛けていた。
【発明が解決しようとする課題】
【０００３】犬の散歩のときの付近の住民に与える不快感を取り除き、糞袋を手で持ちながらの散歩は気分も悪く、地上に落とした糞を拾うことは飼い主にとっては苦痛な作業でもあった。雨の日には犬のロープ、糞袋、傘を指しての散歩は容易でなかった。更に湿った糞は拾いにくく難点であった。本発明は、これらの課題を解決するためのものである。
【課題を解決するための手段】
【０００４】犬の散歩には充分な装置、装備をして、街中、道路、公園でも他人に迷惑の掛けないようにした。犬は排泄するときは事前にしぐさは飼い主に伝わり、その際に便器３を犬の排泄口に添えて回収できるようにした。糞は便器３で直接受け、用便後は便器の蓋４のバネ蝶番７で自動的に閉じて、ハンドル１を押して散歩ができるように移動の車輪１２をつけた。万一糞を外部に漏らせても清掃用ハサミ１１で拾えるようにハンドル１に内蔵した。犬の大きさにより便器３の上下を高さ調整ネジでするようにした。天候によらず散歩ができるように雨の日には雨傘を、日照りの日には日傘も本体１３に脱着できるようにした。傘の取りつけ取り外し高さは傘補助棒９で可能にした。
【発明を実施するための形態】
【０００５】以下、本発明にの実施の形態について説明する。
（イ）ハンドル１を持ち、犬と供に動けるように移動車輪１２をつけて、片手で操作ができるようにした。
（ロ）大型犬、小型犬による装置のサイズを選ぶが、微調整は事前に犬の糞排泄口に高さ調整ネジ２で合わし糞回収の確率をあげるようにした。
（ハ）犬が糞排泄前の態勢に入れば、蓋開閉レバー５で便器３の便器の蓋４を開け糞排泄口に添えて直接回収するようにした。
（ニ）排泄中は蓋開閉レバー５で便器の蓋４を開いたままにするためにハンドル１にレバー固定具６を付けた。
（ホ）糞排泄をした後は蓋開閉レバー５を元に戻すと便器の蓋４に取り付けたバネ蝶番７の力で自動的に便器の蓋４を閉じるようにした。
（ヘ）本体１３に固定スタンド８を付けて、いつでも、どこにでも、そのまま止めて立て掛けられるようにした。
（ト）本体１３にセットされた伸縮自在の傘補助棒９で市販の傘の高さ調整をして、傘ソケット１０に差し込み、雨傘、日傘を装着するために市販のクリップで挟み傘は手で持たなくてもよいようにした。
（チ）糞の排泄の際に外部に漏らしてしまった糞は、ハンドル１に内蔵された清掃用ハサミ１１で便器３に入れるようにした。
【発明の効果】
【０００６】ペット・ブームで飼い主は犬を可愛がりますが、最大の悩みは散歩と同時に目的である糞の処分であった。散歩は人目や天候を気にしなくなれば楽しくなります。従来は散歩の糞害で住民とのトラブルも多く、飼い主はこれらから犬の散歩が億劫になる傾向もあった。本装置のお供による犬の散歩で、街の糞害も解消され、オシャレで飼い主の責任感が住民にも伝わり苦情も解消されます。帰宅後の処分を簡単にするために便器３にポリ鉢（苗鉢）やトイレットペーパーを入れておくとトイレへの持ち運びや洗浄も楽になる。
【図面の簡単な説明】
【図１】本発明の立面図である。
【図２】本発明の平面図である。
【符号の説明】  １ハンドル
２高さ調整ネジ
３便器
４便器の蓋
５蓋開閉レバー
６レバー固定具
７バネ蝶番
８固定スタンド
９傘補助棒
１０傘補助棒ソケット
１１清掃用ハサミ
１２車輪
１３本体
【図１】
2010227085.tif 000003
【図２】
2010227085.tif 000004
(57)【要約】      （修正有）【課題】装着者の鼻口部に当接するマスクの内面側が、装着者の鼻口部から排出される唾液や鼻汁などの汚れからマスク本体の取り替えを必要とされる場合において、マスクに装着された複数枚のシート部材によって、装着者の鼻口部に当接する新しいシート部材を複数回提供する。【解決手段】マスク本体４の縦横サイズよりやや小さな複数枚に重ね合わせシート状に形成された不織布５を、マスク本体の内面側に該シート状の不織布をマスク本体の上下または左右の周縁の端部に線状の縫製または線状の熱溶着２などで線状接合装着する。複数枚に重ね合わせた該シート状の不織布の線状接合部の中央部側は各一枚ずつ分離されている。線状接合部に沿った中央部側の近傍に破線状の切り目３を各一枚ずつに形成する。【選択図】図１
2010227194.tif 000002
【特許請求の範囲】
【請求項１】
鼻口から侵入する細菌やウィルスまたは花粉等を防止する衛生マスクにおいて、装着者の鼻口部を覆い当接するシート部材をマスク本体から切り離すことで、分離したシート部材の真下部から新しいシート部材が複数回出現するマスクであって、該シート部材をマスク本体の縦横のサイズよりやや小さなサイズの造形とし復数枚重ね合わせて、マスク本体の周縁の端部に線状の縫製または線状の熱溶着などでマスク本体と該シート部材を線状の接合とすることで、該シート部材において鼻口部を覆う複数枚のシート部材を一枚ずつ切り離し分離することで新しいシート部材が複数回出現することを特徴とした、シート部材使い捨て衛生マスク。
【発明の詳細な説明】
【技術分野】
【０００１】
本発明は、大気中の細菌やウィルスまたは花粉等が、鼻や口からの呼吸を通じて体内に侵入することを防止しするために使用される、衛生用マスクに関するものである。
【背景技術】
【０００２】
従来の衛生マスクに、装着者の鼻口部を覆い当接する側をマスクの内面側とし、其の内面側の鼻口部を覆い当接しているマスクのシート部材だけを切り離し、分離することはなかった。
【０００３】
従来の衛生マスクに、装着者の鼻口部を覆い当接されていたシート部材だけを切り離し分離することで、分離したシート部材の真下部から新しいシート部材が複数回出現することはなかった。
【発明の概要】
【発明が解決しようとする課題】
【０００４】
装着者の鼻口部に当接する側をマスクの内面側とし、長時間マスクを使用すると装着者のクシャミや咳などの症状から鼻汁や唾液などの分泌物が飛沫排出し、マスクの内面側には鼻汁や唾液などの分泌物が付着していた。
【０００５】
装着者がマスクを使用しながら喋るだけでも唾液などの分泌物が飛沫排出し、マスクの内面側に付着していた。
【０００６】
マスクの内面側に鼻汁や唾液などの分泌物が付着した状態で使用することは非衛生的であり、装着者に不快感を与えていた。
【０００７】
従来の使い捨てマスクは、マスク本体の内面側だけが汚れてもマスク本体を取り替えるため、新しいマスクを購入しなければならなく、経済的に高くつていた。
本発明は、以上のような欠点をなくすためになされたものである。
【課題を解決するための手段】
【０００８】
マスクの内面側に、マスク本体の縦横のサイズよりやや小さめの鼻口部を覆う形状の不織布を復数枚重ね合わせてシート状とし、マスクの内面側の上下または左右の縁端部に線状の縫製または線状の熱溶着などでマスク本体の縁端部に該不織布シート部材を線状で接合装着する。
【０００９】
複数枚に重ね合わせられたシート状の不織布を、線状の縫製または線状の熱溶着などで線状の固定装着された中央部は複数枚に重ね合っているが、線状の接合部の中央部側のシート状の不織布は各一枚ずつに分離されている。
【００１０】
縁端部の線状の縫製または線状の熱溶着されたシート部材の線状接合部に沿った中央部側の近傍に破線状の切り目を各一枚ずつに形成する。
【００１１】
複数枚のシート状不織布を接合装着することでマスクの装着者が息苦しくならないよう、シート状不織布の材質においては通気性を重視し、唾液や鼻汁等の分泌物が他のシートに浸透し難い素材の不織布が適している。
【００１２】
鼻口部を覆い当接する側の内面側に各一枚ずつに分離した複数枚のシート状の不織布を装着することにより、複数回にわたって鼻汁や唾液などの分泌物が付着していない新しいシート状の不織布を鼻口部に覆い当接することが出来る衛生マスクを提供することにある。
【発明の効果】
【００１３】
複数枚のシート部材を装着していることにより、クシャミや咳などの症状から鼻汁や唾液などの分泌物が付着しマスクの内面側が汚れても、汚れたシート部材を切り離し分離することで新しいシート部材を複数回使用できるので、衛生的で装着者に不快感を与え難い。
【００１４】
使い捨マスクの内面側が汚れるとマスク本体を取り替える必要があり、其の都度新しいマスクを購入すると経済的に高くつくが、複数枚のシート部材を装着していることにより、汚れたシート部材を切り離し分離することで新しいシート部材を複数回使用できるので、新しいマスクを購入する回数が減り経済的に安価である。
【図面の簡単な説明】
【００１５】
【図１】衛生マスクの鼻口部に当接する側を内面側とした正面図。
【図２】衛生マスクの断面図である。
【発明を実施するための形態】
【００１６】
以下、本発明の実施例について説明する。
複数枚に重ね合わせシート状に形成された不織布５a・５bをマスクの内面側に備える。
マスクの内面側の左右の縁端部に、複数枚に重ね合わせシート状に形成された不織布の左右の周縁の端部に線状の縫製２により接合装着する。
不織布の左右の縁端部に破線状の切り目３を設ける。
本発明は、以上のような構造でこれを使用するときは、マスクの内面側のシート状不織布が分泌物などで汚れたと感じた場合、シート状不織布に設けられた左右の破線状の切れ目に沿って切り離すと真下部から新しい不織布が出現してくる、複数回に渡って汚れていない新しいシート状不織布のマスクを使用すればいい。
【符号の説明】
【００１７】
１、耳掛け
２、線状の熱溶着
３、破線状の切り目
４、マスク本体
５a、重ね合った複数枚のシート部材
５b、重ね合った複数枚のシート部材うちの鼻口部に当接するシート部材
【図１】
2010227194.tif 000003
【図２】
2010227194.tif 000004
(57)【要約】【課題】従来、厚さ一定のプレートを用いた物品押さえ具は、物品を浮かなくすることはできるが、洗浄時に物品が左右へ動いてしまう等の問題によって破損又は洗浄が不均一になってしまうことが課題である。【解決手段】本発明の洗浄装置の物品押さえ具は、物品を押さえる複数の押さえ棒と、押さえ棒の動作を滑らかにする上プレートと下プレートを有し、複数の押さえ棒で洗浄する物品を物品の形状に合わせて押さえることを特徴とする。【選択図】  図２
2010227777.tif 000002
【特許請求の範囲】
【請求項１】
物品を押さえる複数の押さえ棒と、該押さえ棒の動作を滑らかにする上プレートと下プレートを有し、
前記複数の押さえ棒で洗浄する物品を物品の形状に合わせて押さえることを特徴とする洗浄装置の物品押さえ具。
【発明の詳細な説明】
【技術分野】
【０００１】
本発明は、洗浄装置に関し、特に洗浄時の物品の浮きを押さえるための物品押さえ具に関するものである。
【背景技術】
【０００２】
従来、揺動型の洗浄装置で物品を洗浄する場合は、厚さ一定のプレートを用いて、そのプレートの重みだけで物品を浮かなくしていた。
【０００３】
洗浄する物品が半導体ウエハの場合は、支持具で半導体ウエハを支持していた（例えば、特許文献１参照。）。
【先行技術文献】
【特許文献】
【０００４】
【特許文献１】特開２００８−２２６９００号公報
【発明の概要】
【発明が解決しようとする課題】
【０００５】
前述の厚さ一定のプレートを用いた物品押さえ具は、物品を浮かなくすることはできるが、洗浄時に物品が左右へ動いてしまう等の問題によって破損又は洗浄が不均一になってしまうことが課題である。
【課題を解決するための手段】
【０００６】
本発明の洗浄装置の物品押さえ具は、物品を押さえる複数の押さえ棒と、押さえ棒の動作を滑らかにする上プレートと下プレートを有し、複数の押さえ棒で洗浄する物品を物品の形状に合わせて押さえることを特徴とする。
【発明の効果】
【０００７】
本発明によれば、洗浄かごの中の物品を物品の形状に合わせた物品押さえ具により、物品を確実に押さえることができるため、物品を破損なく均一に洗浄装置で洗浄することができる。
【図面の簡単な説明】
【０００８】
【図１】本発明の一実施例である物品押さえ具を説明するための物品を押さえる前の図。
【図２】本発明の一実施例である物品押さえ具を説明するための物品を押さえた後の図。
【発明を実施するための最良の形態】
【０００９】
本発明の一実施例である揺動型の洗浄装置で物品を洗浄する場合に使用する物品押さえ具を図１および図２を用いて説明する。
【００１０】
図１は、本発明の一実施例である物品押さえ具を説明するための物品を押さえる前の図である。
図１において、洗浄する物品６は洗浄かご５に入れた状態である。
物品押さえ具は、上プレート１、下プレート２、上プレート１と下プレート２をつなげる支柱３、物品６を押さえるための複数の押さえ棒４、ガイド棒７、ガイド棒８で構成している。支柱３は、上プレート１と下プレート２を一定の距離に保つことにより、複数の押さえ棒４の動きが滑らかになり、物品６を安定して押さえるための物である。
【００１１】
図２は、本発明の一実施例である物品押さえ具を説明するための物品を押さえる後の図である。
物品押さえ具は、図１の状態から、上プレート１と下プレート２をガイド棒７とガイド棒８に沿って下降させる。上プレート１と下プレート２を下降させることにより複数の押さえ棒４は、物品６の形状に従って持ち上がり、物品６を押さえることができる。また、複数の押さえ棒４の自重により、物品６を浮かないようにすることができる。
【００１２】
本発明は、洗浄かごの中の物品を物品の形状に合わせた物品押さえ具により、物品を確実に押さえることができるため、物品を破損なく均一に洗浄装置で洗浄することができる。
【００１３】
以上本発明について詳細に説明したが、本発明の物品押さえ具は、ここに記載された揺動型の洗浄装置に限定されるものではなく、上記以外の洗浄装置に広く適用することができることは言うまでもない。
【符号の説明】
【００１４】
１：上プレート、２：下プレート、３：支柱、４：押さえ棒、５：洗浄かご、６：物品、７，８：ガイド棒。
【図１】
2010227777.tif 000003
【図２】
2010227777.tif 000004
(57)【要約】【課題】  即席麺を料理するとき、今の鍋が円筒型なのに麺の形は四角い。そのため麺と同じぐらいの大きさの鍋に入れる時は、麺の角が鍋の内側に当たりきつくて入れにくく麺が斜めにしか入らない時があり半分づつしか茹でれない時がある。だが一人前だけの料理に大きめの鍋は使用したくない。また、料理時にカップで測量して水を入れるのはめんどくさいし、大体の量で料理すると味が薄くなったり濃くなったりする。【解決手段】即席麺は四角いので本体の鍋１の形を四角にする。これで１人前だけの麺を出来るだけ小さな鍋１に麺を入れる際に無理やり入れることなく、斜めにもならずに入れやすくなる。また、鍋１の内側に測量線３を付けておくことで鍋１だけで水量が分かる。この測量線３は内側の２面以上に引いておくことで正確な水量が測れる。持ち手２は、四角い鍋１の角に付けておくことで出来上がりの麺や汁を器へ移すときに鍋１の角を利用しこぼしたりすることなく移しやすい。【選択図】  図１
2010227283.tif 000002
【特許請求の範囲】
【請求項１】
鍋本体の形状が四角形であり角四隅には丸みがあり、即席麺の調理前の麺が１人前だけ入る小ささを特徴とする鍋である。
【請求項２】
前記鍋の内側の少なくとも１つの面に、水量の線が設けられていることを特徴とする鍋である。
【請求項３】
鍋のもち手は、四角い鍋の１角についていることを特徴とする鍋である。
【発明の詳細な説明】
【技術分野】
【０００１】
本発明は茹でる前の四角い即席麺に合わせた小型の鍋である。そのため、この鍋の形状は四角く１人前の麺が入るだけの小さな鍋である。
また、鍋の内側の２面以上には即席めんを茹でる時に必要な水量が分かるように測量線が設けられている。
持ち手は鍋の角につけることで鍋の角を利用して麺や汁などを器に移すときにこぼすことなく移しやすい四角い即席めん鍋に関する。
【背景技術】
【０００２】
現在の鍋はほとんどが円形の鍋の為、即席めんを１人前だけ料理するときに麺と同じぐらいの大きさの鍋を使用すると、麺が四角い為に麺の端が欠けたり、きつくて入れにくかったりする。また、大きな鍋を使用すると鍋の大きさに比べ麺の量が少なく、水が少なくなる為に鍋底での調理となったり、また重たく使用しにくいものである。それ以前に１人前の即席めんの調理に大きな鍋はあまり使用したくないものである。
そして、調理のときに水の量を測って入れるのがめんどくさく、大体の目安で水を入れて調理をしている。
【特許文献１】特開平０７−２７５１２８    特開２００７−１３５９７５
【発明の開示】
【発明が解決しようとする課題】
【０００３】
本体が円形の鍋で１人前の即席めんを料理するとき、麺と同じくらいの大きさの鍋では麺が四角いため端が欠けたり、無理やり入れることになる。また、大きな鍋では鍋の大きさに比べて麺の量が少ないため鍋底での調理になる、また重たく調理しにくい。それ以前に１人前の即席めんを調理するだけに大きな鍋は使用したくない。
【０００４】
また、即席めんの料理の時には水を鍋に設定量だけ入れるために、水量を測って入れなければならない。そのために測るのがややこしくてだいたいの目安で入れている。
出来上がった料理を器に移すときには、麺と汁をこぼさずに移しやすくしておかなければならないという問題がある。
【０００５】
そこで、本発明はこれらの課題を解決すべく考案されたものであり、その目的とするところは、１人前の即席めんを手軽な鍋で麺を無理やり入れるのではなく簡単に入れることができ、調理に必要な水量も鍋以外のものを必要とせずに測量できる小型の四角い即席めん鍋を提供することにある。
【課題を解決するための手段】
【０００６】
本発明は上記目的を達成するために、次の機構を備える。
すなわち、鍋の形状を即席めんが１人前だけ入るだけの小型で四角１にする。
また、水量は鍋だけで測量できるように、鍋の内側の２面以上に測量線３を設けている。
完成した料理の麺と汁を器へ移しやすくするために、四角い鍋の角を利用するように持ち手２を四角い鍋の角に付けている。
これらのことを特徴とする。
【発明の効果】
【０００７】
本発明に係わる小型の四角い即席めん鍋は、上記記載した機構を備えることにより、即席めんを料理時に麺と同じぐらいの小さな鍋で四角い麺を鍋に入れるとき麺の端を欠かすことなく、無理やり入れるということもなく鍋に簡単に入れることが出来る四角い即席めん鍋を提供する。
【０００８】
上述したような機構で即席麺の調理時に麺に応じた水を測量せずとも鍋だけで設定量を入れることが出来る。また、四角い鍋の角を利用し鍋の角に持ち手につけることで丸い鍋よりも麺と汁をこぼさずに器へ移しやすい四角い即席めん鍋を提供する。
【発明を実施するための最良の形態】
【０００９】
本発明の一実施形態を、図１に示す。
小さな即席めん鍋の本体１の形状は、即席めんが四角いので四角くしている。これで調理のときに麺を鍋に入れるとき小さな鍋にもかかわらず、麺の端を欠かすことなく、無理やり入れることもなく、簡単に入れやすくなっている。
【００１０】
即席めん鍋１の内側には、調理のときに必要な水量が測量カップ必要なく、鍋１だけで分かるように内側に水量の測量線３を設けている。これも正確な水量が分かるように内側の２面以上に設けている。
【００１１】
即席めん鍋１から器へ完成麺を移すときに、麺と汁があるのでこぼしにくく移しやすくするために、本体鍋１が四角いのでその角から流すように本体鍋１の角に持ち手２を着ける。
【００１２】
水を沸騰しやすくするために蓋５もある。
【図面の簡単な説明】
【００１３】
【図１】この発明の一実施形態を示す斜視図である。
【図２】この発明の断面図である。
【図３】この発明の平面図である。
【図４】この発明の蓋の斜視図である。
【符号の説明】
【００１４】
１  四角い小型鍋の胴図
２  四角い小型鍋の持ち手図
３  鍋内側の測量線
４  水量数
５  四角い小型鍋の蓋図
【図１】
2010227283.tif 000003
【図２】
2010227283.tif 000004
【図３】
2010227283.tif 000005
【図４】
2010227283.tif 000006
(57)【要約】      （修正有）【課題】手を濡らさずに米を研ぐことができ、また、従来研ぎ汁を流すのに容器を傾け、米汁容器本体に設けた落とし蓋の把手を、指一本の操作により安易に調節するようにした排水効果ある二重摩擦米研ぎ具と汁排水容器装置を提供する。【解決手段】泡立て器状に組み立てた略楕円球状の半径までを、スプリング形態とし米研ぎ具本体の中央部に鎖２本を枠内回転の余裕ある釣り下げ形成とし下方ハンドルに接続装着し、手動回転により、スプリングと鎖の二重回転摩擦を要する米研ぎ具であり、前記米研ぎ具本体に連関する合成樹脂製の円筒状研ぎ汁容器の内側に、金網米研ぎ容器を併合し、また、排水口にマグネットを要する落し蓋を設けたことを特徴とする二重摩擦米研ぎ具と汁排水容器装置。【選択図】図１
2010227524.tif 000002
【特許請求の範囲】
【請求項１】
公知泡立て器形状に組み立てた略楕円球状の半球までをスプリング形態とし、米研ぎ具本体の中央部に鎖２本を枠内回転に余裕ある釣り下げ形成とし、下方ハンドルに接続装着し、手動回転により、スプリングと鎖の二重回転摩擦を要する米研ぎ具本体であり、前記米研ぎ具本体に連関する合成樹脂製円筒形状の研ぎ汁容器の内側に、金網米研ぎ容器を併合設備せしめたことを特徴とする二重摩擦米研ぎ具と汁排水容器装置。
【請求項２】
研ぎ汁容器下部に排水口とマグネット付き落とし蓋を設けてなる請求項１記載の二重摩擦米研ぎ具と汁排水容器装置。
【発明の詳細な説明】
【技術分野】
【０００１】  本発明は、一般家庭の器具による米研ぎ化を図った二重摩擦米研ぎ具と汁排水容器装置に関する。
【背景技術】
【０００２】  従来、米を研ぐには冷水と米を容器に入れ平手に力を入れ押しつけ摩擦を繰り返す方法を利用し、素手又は、手袋を毎日のように、嵌めたりして時間を費やしていたのであるが、手研ぎに優る発案が無かったのが現状である。
【発明の開示】
【発明が解決しようとする課題】
【０００３】  そのために、次のような問題点があった。
（イ）手袋の使用については、毎日の日課であり、嵌めたり脱いだりするのが煩わしく穴あきお玉杓子、へら、泡立て器具を利用していたが、摩擦力が弱く回転数を多くすることにより、手や肩が疲れたりして効率が悪かった。
（ロ）寒冷地帯の台所では、手研ぎによる指関節の、あかぎれ、手の甲がひび割れ症状になり、また、脂肪不足の高齢者、虚弱体質者に数多く、これが米に対する要因をもたらす結果となり、若年中年者層の米離れが、深刻な社会問題化しているのが現状である。【０００４】  本発明は、このような従来の構成が有していた問題を解決しようとするものであり、冷水からの手研ぎを効果的構成により、生活の必需品として愛用される二重摩擦米研ぎ具と汁排水装置の実施することを目的とするものである。
【課題を解決するための手段】
【０００５】  そして、本発明は上記目的を達成するために、従来の、泡立て器形状に組み立てた略楕円状の半径までをスプリング形態とし、器具本体の中央部に鎖２本を枠内回転の余裕ある釣り下げ形成とし、下方ハンドルに接続装着し、手動回転による回転摩擦をするようにした二重摩擦米研ぎ具本体であり、前記二重摩擦米研ぎ具本体に連関する合成樹脂製研ぎ汁容器の内側に金網米研ぎ容器の摩擦を併合設備せしめたものである。【０００６】  また、第２の課題解決手段は、研ぎ米汁を排水可能にするようにマグネット止めを要する構成にしたものである。【０００７】  上記第１の課題解決手段による作用は次の通りである。すなわち、鋼線組み立て部位に装着したリングに設けた鎖とスプリングと、また、金網容器の中にある米粒が手動回転により水力渦巻き状水圧の三重摩擦により数十秒間で米が研げ、冷水に手を入れ研ぐことなく指の関節あかぎれ等を防止することができる。【０００８】  また、第２の課題解決手段による作用は、合成樹脂製円筒形研ぎ汁容器本体の下部に水門を設け、研ぎ汁排水を調節する落とし蓋の溝部板に、マグネットを嵌め込み上下する落とし蓋の自在落下にブレーキを掛けるようにしたものである。
【発明の効果】
【０００９】  上述したように、手を濡らさずに米を研ぐことができ、また、従来研ぎ汁を流すのに容器を傾け、流米に注視するのに神経を集中していたが、米汁容器本体に設けた落とし蓋の把手を指一本の操作により安易に調節するようにした排水効果ある二重摩擦米研ぎ具と汁排水容器装置を提供できる。
【発明を実施するための最良の形態】
【００１０】以下、本発明の実施の形態を説明する、
（イ）  鋼線（１）５本からなる、略楕円形状の組合せ米研ぎ器具であり半球までを、スプリング（１Ａ）形状とし、スプリング外の鋼線（１Ｂ）を集結筒（５）に挿入締め付け具（３）を通し、ハンドル（６）に設ける。
（ロ）  組合せ鋼線（１）に、リング（２）を装着し、前記リング（２）に鎖（４）を通し二重にして枠内中央部に釣り下げ、集結筒（５）のリング（２）に取り付け回転可能にする。
（ハ）  合成樹脂製からなる円筒形研ぎ汁容器（７）の内側に極細金網米研ぎ容器（９）を併合し、両側面上に取っ手（８）を設けている。
（ニ）  研ぎ汁容器（７）下部に排水口（１１）を設け、溝部（１４）を上下調節する落とし蓋（１２）の自在落下防止にマグネット（１５）を設けている。
本発明は、以上の構成よりなっている。
本発明を使用するときは、上述した通り金属からなる二重摩擦米研ぎ器具であり、炊飯器内の容器における米研ぎは、鍍金に傷つき剥がれ落ちるおそれあり、焦げ付き故障になるために使用禁止とする。従って金網米研ぎ容器（９）を使用することにより、前記の心配なく米と水を入れた金網米研ぎ容器（９）の内側面に二重摩擦米研ぎ具本体を直接触れない感覚をもって渦巻き状に掻き回すことにより米が水に混合して浮上し、補助的渦巻きにより、手軽く回転し米研ぎ時間を数十秒間の操作にて完了できる。
また、スピード回転により更に短縮できる。【００１１】また、研ぎ汁は水門落とし蓋（１２）の把手（１３）を指一本による操作ができ適宜な開口に依り容器の底まで安易に排水できる効果を発揮するものである。
【図面の簡単な説明】
【００１２】
【図１】  本発明の斜視図
【図２】  本発明の一部切欠き要部断面図
【図３】  本発明の実施例を示す斜視図
【図４】  本発明の各部の分離斜視図
【図５】  本発明の使用状態を示す説明図である。
【符号の説明】
【００１３】  １      鋼線
１Ａ  スプリング
１Ｂ  スプリング外の鋼線
２      リング
３      締め付け具
４      鎖
５      集結筒
６      ハンドル
７      研ぎ汁容器
８      取っ手
９      米研ぎ容器
１０    台
１１    排水口
１２    落とし蓋
１３    把手
１４    溝部
１５    マグネット
１６    米
１７    研ぎ汁
【図１】
2010227524.tif 000003
【図２】
2010227524.tif 000004
【図３】
2010227524.tif 000005
【図４】
2010227524.tif 000006
【図５】
2010227524.tif 000007